(57)【要約】【課題】  眼精疲労を防止することができる電子ビューファインダを提供する。【解決手段】  本発明の電子ビューファインダ２は、被写体光を撮像する撮像素子から出力された撮像信号を用いたファインダ再生画像を表示する表示部４と、表示部４に表示されるファインダ再生画像を観察するための接眼レンズ６と、接眼レンズ６を介した像の位置を所定の時間間隔で移動させる像位置移動部８とを備える。【選択図】  図１
2009105795.tif 000002
【特許請求の範囲】
【請求項１】
被写体光を撮像する撮像素子から出力された撮像信号を用いたファインダ再生画像を表示する表示部と、
前記表示部に表示される前記ファインダ再生画像を観察するための接眼レンズと、
前記接眼レンズを介した像の位置を所定の時間間隔で移動させる像位置移動部と
を備える電子ビューファインダ。
【請求項２】
前記接眼レンズを該接眼レンズの光軸方向に移動させて視度調整を行う視度調整部を更に備え、
前記像位置移動部は、
前記視度調整部による視度調整が行われた後に、前記像の位置を移動させる請求項１記載の電子ビューファインダ。
【請求項３】
前記像位置移動部は、前記表示部を前記接眼レンズの光軸方向又は前記接眼レンズの光軸方向と直交する方向に所定量、所定速度で移動させる請求項１又は請求項２記載の電子ビューファインダ。
【請求項４】
前記像位置移動部は、前記接眼レンズを該接眼レンズの光軸方向に所定量、所定速度で移動させる請求項１又は請求項２記載の電子ビューファインダ。
【請求項５】
前記所定の時間間隔は、撮影者により任意に設定される請求項１乃至請求項４の何れか一項に記載の電子ビューファインダ。
【請求項６】
前記所定量は、撮影者により任意に設定される請求項３乃至請求項５の何れか一項に記載の電子ビューファインダ。
【請求項７】
前記所定速度は、撮影者により任意に設定される請求項３乃至請求項６の何れか一項に記載の電子ビューファインダ。
【請求項８】
請求項１乃至請求項７の何れか一項に記載の電子ビューファインダを備える撮像装置。
【発明の詳細な説明】
【技術分野】
【０００１】
本発明は、被写体光を撮像する撮像素子から出力された撮像信号を用いたファインダ再生画像を表示する電子ビューファインダ、及び該電子ビューファインダを備える撮像装置に関するものである。
【背景技術】
【０００２】
従来、撮影する画像の構図や色調等を確認するために電子ビューファインダが搭載されたデジタルカメラが存在する。電子ビューファインダにおいては、カメラ本体が備える撮像素子により撮影レンズを介した被写体光を撮像することによって出力された撮像信号に基づいて、電子ビューファインダの表示部にファインダ再生画像が表示される。撮影者は、撮影時に撮影する画像の構図や色調等を確認するために電子ビューファインダの表示部を観察するが、観察する時間が長時間に及ぶと、定位置に固定された画像表示部を凝視し続けたことによる眼精疲労が生じてしまい、電子ビューファインダを観察しながらの長時間の撮影が困難になる等の問題が生じていた。
【０００３】
このように、定位置に固定された画像表示部を凝視し続けることにより生じる眼精疲労を防止する装置としては、映像ディスプレイを備えた機器において、使用者の瞬きを検出し、瞬きが少ない場合には注意情報を発して使用者に注意を促すことにより、使用者が映像ディスプレイを凝視し続けることを防止する装置が提案されている（特許文献１参照）。
【０００４】
なお、カメラ本体に備えられているファインダにおいて、撮影者の眼に応じた視度補正を行うために、ファインダの接眼レンズを撮影者の眼に対して自動的に前後移動させるカメラが提案されている（特許文献２参照）。
【特許文献１】特開平１１−２４２７４４号公報
【特許文献２】特開平７−１８１５６２号公報
【発明の開示】
【発明が解決しようとする課題】
【０００５】
しかしながら、上述の特許文献１に記載されている映像ディスプレイにおいては、使用者がディスプレイを長時間凝視し続けて瞬きをしない場合に注意信号を発して使用者に注意を促すだけであり、眼精疲労自体を防止するものではなかった。
【０００６】
また、上述の特許文献２に記載されているカメラにおいては、ファインダの接眼レンズを撮影者の眼に対して自動的に前後移動させる構成を採用しているが、撮影者の眼の視度補正を目的としているものであり、撮影者の眼精疲労を防止するものではなかった。
【０００７】
本発明は、定位置に固定された像を長時間凝視し続けることにより生じる眼精疲労を防止することができる電子ビューファインダ、及び該電子ビューファインダを備える撮像装置を提供することを目的とする。
【課題を解決するための手段】
【０００８】
以下に本発明の構成を実施の形態の符号を付して説明するが、本発明は、本実施の形態に限定されるものではない。
【０００９】
本発明の電子ビューファインダ（２）は、被写体光を撮像する撮像素子（１０１）から出力された撮像信号を用いたファインダ再生画像を表示する表示部（４）と、前記表示部（４）に表示される前記ファインダ再生画像を観察するための接眼レンズ（６）と、前記接眼レンズ（６）を介した像の位置を所定の時間間隔で移動させる像位置移動部（８）とを備える。
【００１０】
また、本発明の撮像装置は、本発明に係る電子ビューファインダ（２）を備える。
【発明の効果】
【００１１】
本発明の電子ビューファインダによれば、像位置移動部によって接眼レンズを介した像の位置を所定の時間間隔で移動させることができるため、撮影者が電子ビューファインダ内を長時間凝視し続けたとしても、定位置に固定された像を長時間凝視し続けることにより生じる眼精疲労を効果的に防止することができる。
【００１２】
また、本発明の撮像装置によれば、本発明に係る電子ビューファインダを備えているため、ファインダ内を長時間凝視し続けることによって生じる眼精疲労を抑制する効果を得ることができ、長時間の撮影も可能ならしめることができる。
【発明を実施するための最良の形態】
【００１３】
以下、図面を参照して本発明の第１の実施の形態に係る電子ビューファインダについて説明する。図１は、第１の実施の形態に係る電子ビューファインダの概略構成を模式的に示した図である。電子ビューファインダ２は、図１に示すように、遮光機能を備えたファインダケース２０内に、ファインダ再生画像を表示する表示部４と、表示部４に表示されるファインダ再生画像を観察するための接眼レンズ群６と、表示部４を接眼レンズ群６の光軸方向へ移動させるための移動部８（像位置移動部）とを備えている。
【００１４】
表示部４は、ファインダ再生画像の表示を行う例えばＬＣＤ等の表示装置により構成される表示パネル４０及び、表示パネル４０の背面に一体的に設けられたバックライト４１により構成されている。
【００１５】
接眼レンズ群６は、複数枚の接眼レンズにより構成され、撮影者の眼に応じて視度を補正する視度補正機構６０として機能する。視度補正機構６０としては、例えば、接眼レンズ群６を構成するレンズの内の１枚を、接眼レンズ群６の光軸Ｌの方向（図中の矢印Ａの方向）に微小移動させる構成が用いられる。具体的には、例えば、撮影者が入力した視力又は視度情報に基づいて自動的にレンズを移動させる。あるいは、上述の従来技術（特開平７−１８１５６２）に記載されているような方法、即ち、電子ビューファインダ２において、撮影者の眼の特性（所定の明るさでの瞳孔径の大きさや、輝度変化に伴う瞳孔径の変化量、変化速度等の変化や、水晶体等で発生する光線入射時の光拡散量など）を検出した結果から年齢を推定し、その年齢に応じた最適な視度に補正すべく自動的にレンズの位置が調整される。また、撮影者が手動で任意にレンズの位置を調整したり、あるいは電動モータを用いてレンズを電気的に駆動して調整したりすることにより視度を補正するようにしてもよい。
【００１６】
移動部８は、表示部４を支持する表示部支持枠８０を備え、表示部支持枠８０はガイドレール８１に沿って接眼レンズ群６の光軸Ｌの方向（図中の矢印Ｂの方向）に移動可能に支持されている。ガイドレール８１の下方には、ガイドレール８１と平行にリードスクリュー８２が設けられており、リードスクリュー８２は、一端が表示部支持枠８０の下部に設けられたリードスクリューナット部８３に挿入され、他端がリードスクリュー８２を回転駆動するモータ８４に接続されている。また、リードスクリューナット部８３の下方には、表示部支持枠８０の位置を検出する位置検出部８５が設けられており、位置検出部８５には電気切片８６が接触している。
【００１７】
移動部８において、モータ８４の回転駆動力によりリードスクリュー８２を回転させると、リードスクリューナット部８３を備えた表示部支持枠８０が、リードスクリュー８２の回転の向きに応じて、接眼レンズ群６の光軸方向に回転数に応じた距離だけ移動し、表示部４の位置を移動させる。移動した表示部４の位置は、電気切片８６を介して位置検出部８５により検出される。ＣＵＰ１００（図２参照）は、位置検出部８５により検出された表示部４の位置に基づき、モータ８４に対して駆動信号を出力することによって、表示部４の接眼レンズ群６の光軸方向の位置を制御する。
【００１８】
図２は、第１の実施の形態に係る電子ビューファインダ２を備えるデジタルカメラ（撮像装置）のブロック構成図である。デジタルメラのカメラ本体（図示省略）に設けられたＣＰＵ１００には、撮影レンズ（図示省略）を介した被写体光を撮像して撮像信号を生成するＣＣＤ或いはＣＭＯＳ等により構成される撮像素子１０１、撮像素子１０１から出力された撮像信号に基づいて画像データを生成し、この画像データ等を一時的に記憶する画像データ記憶部１０２、カメラ本体の背面に配置され画像データの表示を行うＬＣＤにより構成される背面表示部１０３、背面表示部１０３への表示を制御する表示制御部１０４、撮像素子１０１から出力される撮像信号に基づく画像データに所定の画像処理を施す画像処理部１０５、画像データを記憶するメモリカード１０６、諸設定を行う操作ボタン１０７及び電子ビューファインダ２が接続されている。
【００１９】
図示しない電源ボタンが操作されデジタルカメラの電源がＯＮにされた場合、撮像素子１０１において所定のサンプリング間隔毎に被写体光の撮像が行われ撮像信号が出力される。この時、電子ビューファインダ２の表示パネル４０には、撮像素子１０１から出力された撮像信号に基づくファインダ再生画像が表示される。
【００２０】
撮影者が電子ビューファインダ２を覗き込み、接眼レンズ群６を通してファインダ再生画像を観察する際、まず、視度補正機構６０により撮影者の視度が補正される。即ち、撮影者が電子ビューファインダ２を覗き込んだ際に、既述したような撮影者の眼の特性が検出され、検出結果から撮影者の年齢が推定される。次に、推定された年齢に応じて接眼レンズ群６内の何れか１枚のレンズの位置が自動的に調整され視度補正が行なわれる。
【００２１】
視度補正機構６０による視度補正後、撮影者は表示パネル４０に表示されるファインダ再生画像を観察しながら、撮影する画像の構図や色調等の確認を行う。この時、確認作業やシャッターチャンスを待つ等により、長時間表示パネル４０に表示されるファインダ再生画像を凝視し続けると、定位置に固定された像を凝視し続けることになり、眼精疲労が生じる。具体的には、長時間の凝視により、眼球の水晶体の厚さを変化させて眼の焦点を調節する筋肉である毛様体が長時間同じ状態で緊張し続けることによって眼精疲労が生じる。そこで、移動部８により接眼レンズ群６を介した像の位置、即ち、ファインダ再生画像を表示している表示部４の位置を、図３に示すように、予め設定された、所定の時間間隔で接眼レンズの光軸方向に所定量、所定速度で移動させることによって眼精疲労が生じることを防止する。
【００２２】
図３は、表示部４を移動させる時間間隔、移動量、移動速度の設定について説明するための図である。図３に示すように、縦軸を移動量（見かけ像位置）、横軸を時間とする。なお、デジタルカメラの電源をＯＮにし視度補正を行なった状態を標準状態とする。図３においては、撮影者Ａの場合における表示部４を接眼レンズ群６の光軸方向に移動させる時間間隔、移動量、移動速度と、撮影者Ｂの場合における表示部４を接眼レンズ群６の光軸方向に移動させる時間間隔、移動量、移動速度とが示されている。なお、デジタルカメラの電源がＯＮになっている間は、図３に示す時間間隔、移動量、移動速度で表示部４が接眼レンズ群６の光軸方向に移動する処理が継続して行われる。
【００２３】
図３に示すように、例えば、撮影者Ａの場合には、視度補正機構６０により行なわれた視度補正後の見かけ像位置Ｐ１を基準位置として視度補正範囲Ｋ１内において、表示部４の位置が接眼レンズ群６の光軸方向に移動する。即ち、撮影者Ａが像位置が移動したことを認識しない範囲において表示部４の移動量Ｋ１が設定されている。この場合、撮影者の視度補正範囲は、予め撮影者自身が設定してもよく、デジタルカメラの電源をＯＮにした際に行なわれた視度補正の結果に基づいて自動的に設定されるようにしてもよい。また、図３において、表示部４の移動速度についても、移動毎に異ならせるようにしてもよい（図３では、１回目に比べて２回目の方が速くなっている）。更に、時間間隔は、図３に示すように、表示部４が移動を開始した後、次に移動を開始するまでの期間である。また、図３に示すように、撮影者Ｂについても、撮影者Ｂ視度補正後の見かけ像位置ＰＬを基準としての視度補正範囲Ｋ２内において、表示部４を接眼レンズ群６の光軸方向に移動させている。なお、撮影者Ａと撮影者Ｂとでは、デジタルカメラの電源がＯＮにされた際に行なわれた視度補正に基づく像位置が異なっているため、図３に示す基準位置Ｐ１、Ｐ２が異なっている。
【００２４】
図３においては、撮影者Ｂに対する表示部４の移動速度及び時間間隔が撮影者Ａの場合と同一になっているが、同一である必要はなく、全く異なる移動速度及び時間間隔であってもよい。即ち、移動量、時間間隔、移動速度は、撮影者が任意に設定することができる。本実施形態では、操作ボタン１０７を操作して背面表示部１０３にメニュー等を表示し、所定の項目を選択等することによって設定することができる。
【００２５】
例えば、時間間隔は、デジタルカメラの電源がＯＮされた後、１０分経過した後、最初の２０分間は３分間隔で、その後３０分間は２分間隔で、というように設定することもできる。あるいは、決まった時間間隔ではなく、ランダムな間隔（移動のタイミングはカメラ任せにし、カメラがランダムな間隔で表示部４を移動させる）とする等、撮影者の好みに応じて任意に設定することができる。また、移動量についても、例えば、視度補正の範囲内において、時間の経過と共に移動量を大きくし、所定時間が経過した後は、撮影者の視度補正範囲を超えて移動する、あるいは当初から視度補正の範囲を超えて、焦点がずれたことが認識可能な量だけ移動させる等、撮影者の好みに応じて任意に設定することができる。更に、移動速度についても、撮影者が認識不可能な程度の低速度、又は、認識可能な程度の速度に設定したり、時間の経過と共に速く（遅く）なる等、撮影者の好みに応じて任意に設定することができる。
【００２６】
図４は、本発明の第２の実施の形態に係る電子ビューファインダの構成を模式的に示した概略図である。電子ビューファインダ２００は、表示部４、接眼レンズ群６及び移動部８により構成され、移動部８が接眼レンズ群６を構成する複数のレンズ内の何れかのレンズ（接眼レンズ６´）の位置を移動するように構成されている点において、第１の実施の形態に係る電子ビューファインダ２と相違している。従って、第１の実施の形態に係る電子ビューファインダと同一の構成については同一の符号を用い、同一の構成の詳細な説明を省略する。
【００２７】
なお、第２の実施の形態に係るデジタルカメラは、図２に示すデジタルカメラと電子ビューファインダの構成、即ち、上述のように移動部８の位置が異なるのみで、その他の点については同一の構成を有する。従って、第１の実施の形態に係る電子ビューファインダを備えるデジタルカメラと同一の構成については同一の符号を用い、同一の構成の詳細な説明は省略する。
【００２８】
第２の実施の形態に係る電子ビューファインダ２００においては、接眼レンズ６´の位置を所定の時間間隔で接眼レンズ群６の光軸Ｌの方向（図４中の矢印Ａの方向）に所定量、所定速度で移動させることによって、接眼レンズ群６を介した像の位置を移動させる。即ち、視度補正機構６０により撮影者の視度を補正した後、移動部８により所定の時間間隔で接眼レンズ６´の位置を接眼レンズ群６の光軸方向に所定量、所定速度で移動させる。
【００２９】
第２の実施の形態に係る電子ビューファインダ２００においては、移動部８により接眼レンズ６´を微小範囲で移動させるが、表示パネル４０の像倍率変化量が大きいため、接眼レンズ６´の位置を僅かに移動させた場合であっても、接眼レンズ群６を介した像の位置が眼精疲労の解消に十分な範囲で移動する。なお、第２の実施の形態に係る電子ビューファインダ２００においても、接眼レンズ６´を移動させる時間間隔、移動量、移動速度は、第１の実施の形態に係る電子ビューファインダ２と同様に、撮影者が操作ボタン１０７を介した入力設定により任意に設定することができる。
【００３０】
上述の実施の形態に係る電子ビューファインダによれば、表示部（接眼レンズ）を所定の時間間隔で所定量、所定速度で移動させることができる。従って、撮影者がファインダ再生画像を凝視している状態においても、眼の焦点距離を変化させ水晶体を動かすことによって、効果的に眼精疲労の解消を図ることができる。
【００３１】
また、表示部（接眼レンズ）の移動に応じた接眼レンズを介した像の位置の移動量を撮影者の視度補正範囲内としているため、撮影者がファインダを覗いている際、焦点がずれたと認識しない範囲において、無意識に水晶体を動かすことができる。従って、無意識のうちに眼精疲労の発生を防止することができる。更に、表示部を移動させる時間間隔、移動量、移動速度を、撮影者が任意に設定することができるため、個々の撮影者に合致した状態で眼精疲労の解消を図ることができる。
【００３２】
また、上述の形態に係るデジタルカメラによれば、電子ビューファインダにおいて、表示部（接眼レンズ）を所定の時間間隔で所定量、所定速度で移動させているため、長時間の撮影等を行なう場合であっても、眼精疲労の発生を効果的に回避することができる。
【００３３】
なお、上述の実施の形態に係る電子ビューファインダは、表示部を接眼レンズ群の光軸方向に所定量、所定速度で移動させているが、表示部を接眼レンズ群の光軸方向と直交する方向に所定量、所定速度で移動させるようにしてもよい。即ち、表示部を撮影者から見て上下又は左右に移動させるようにしてもよい。
【００３４】
また、上述の実施の形態に係る電子ビューファインダは、デジタルカメラの電源がＯＮになっている間は継続的に表示部又は接眼レンズを移動させ、接眼レンズを介した像の位置を所定の時間間隔で移動させているが、所定の条件が成立した場合に、所定の時間間隔で移動させるようにしてもよい。例えば、ファインダケースに接眼検知センサを備え、撮影者がファインダを覗いていることを検知している間のみ、所定の時間間隔で像の位置を移動させるようにしてもよい。また、レリーズボタンが半押し操作されている間のみ、所定の時間間隔で像の位置を移動させるようにしてもよい。
【００３５】
また、上述の実施の形態に係る電子ビューファインダは、撮影者が任意に像位置を移動させる時間間隔、移動量、移動速度を設定しているが、予め設けられている設定項目の中から所定の条件を選択することにより、時間間隔、移動量、移動速度が設定されるようにしてもよい。例えば、年齢、近視・遠視の有無等に基づき、所定の区分毎に眼精疲労を回避すべく像位置を移動させる時間間隔、移動量、移動速度を予め設定してデジタルカメラに記憶しておき、撮影者により、撮影者の年齢、近視・遠視の有無等が選択されると、選択された年齢等に応じて記憶されている設定の中から対応する時間間隔、移動量及び移動速度が選択されるようにしてもよい。
【００３６】
また、撮影者の眼精疲労の度合いは、被写体によっても異なるものであることから、被写体の種類に応じて時間間隔、移動量、移動速度が設定されるようにしてもよい。例えば、輝度が高い被写体や、動きのある被写体を撮影している場合、静止している被写体等を撮影する場合に比べて眼精疲労が生じやすい。従って、例えば、時間間隔等の像位置に関する条件を、予め被写体の種類に応じて設定し、撮影者が被写体の種類を選択することにより、時間間隔等が選択され設定されるようにしてもよい。
【００３７】
また、撮影者により任意に時間間隔等が設定された場合において、撮影者により選択された撮影モードに応じて時間間隔等を補正するようにしてもよい。例えば、動体を撮影する撮影モード等が選択された場合には、撮影者により設定された時間間隔を所定時間短くする等の補正を行なうようにしてもよい。同様に、移動量、移動速度についても、選択された撮影モードに応じて所定の補正を行なうようにしてもよい。
【００３８】
また、上述の実施の形態に係る電子ビューファインダにおいて、接眼レンズとして液体レンズを用いるようにしてもよい。即ち、電圧の印加により界面形状の変化によって光学的特性が変化し、焦点位置を調整可能な液体レンズを用いて接眼レンズ群を構成するようにしてもよい。この場合には、接眼レンズの位置を移動させることなく視度補正を行なうことができると共に、接眼レンズの位置を移動させることなく接眼レンズを介した像の位置を移動させることができる。
【図面の簡単な説明】
【００３９】
【図１】本発明の第１の実施の形態に係る電子ビューファインダの概略構成を示す図である。
【図２】本発明の第１の実施の形態に係るデジタルカメラのブロック構成図である。
【図３】本発明の第１の実施の形態に係る電子ビューファインダにおける像位置を移動させる時間間隔、移動量、移動速度を説明するための図である。
【図４】本発明の第２の実施の形態に係る電子ビューファインダの概略構成を示す図である。
【符号の説明】
【００４０】
２・・・電子ビューファインダ、４・・・表示部、６・・・接眼レンズ群、６´・・・接眼レンズ、８・・・移動部、２０・・・ファインダケース、４０・・・表示パネル、４１・・・バックライト、６０・・・視度補正機構、８０・・・表示部支持枠、８１・・・ガイドレール、８２・・・リードスクリュー、８３・・・リードスクリューナット部、８４・・・モータ、８５・・・位置検出部、８６・・・電気切片。
【図１】
2009105795.tif 000003
【図２】
2009105795.tif 000004
【図３】
2009105795.tif 000005
【図４】
2009105795.tif 000006